(57)【要約】【課題】施工時の作業負担を軽減した親機及びインターホンシステムを提供する。【解決手段】一の接続端子Ｔとの間で給電路及び通話路を接続するようになした切換手段と、全ての接続端子Ｔとの間で通話路を接続及び切断するようになした全端子接続手段とを備えており、子機Ｂと通話する場合は、全端子接続手段の通話路を切断すると共に切換手段において通話先の子機Ｂが接続された接続端子Ｔに接続を切り換えることで子機Ｂとの通話路を確保しており、センサカメラＣと通話する場合は、全端子接続手段が通話路Ｒ１〜Ｒ３を接続することでセンサカメラＣと通話するようになしている。【選択図】図１
2008034984.tif 000002
【特許請求の範囲】
【請求項１】
子機に給電する給電手段と、給電手段から給電を受けて動作する複数の子機及び独自に電力を取得して動作する複数の外部機器が接続される複数の接続端子とを備えた親機において、
一の接続端子との間で給電路及び通話路を接続するようになした切換手段と、全ての接続端子との間で通話路を接続及び切断するようになした全端子接続手段とを備えており、子機と通話する場合は、全端子接続手段の通話路を切断すると共に切換手段において通話先の子機が接続された接続端子に接続を切り換えることで子機との通話路を確保しており、外部機器と通話する場合は、全端子接続手段が通話路を接続した状態で任意の一の外部機器と通話するようになした親機。
【請求項２】
請求項１記載の親機と、親機から給電を受けて動作する子機と、独自に電力を取得して動作する外部機器とを備えたインターホンシステム。
【請求項３】
外部機器は、撮像手段と人体検知手段と通話手段とを備えたセンサカメラであり、親機はセンサカメラが人体を検知した場合に、全端子接続手段に通話路を接続させて人体を検知したセンサカメラと通話できるようになした請求項２記載のインターホンシステム。
【発明の詳細な説明】
【技術分野】
【０００１】
本願発明は、複数の子機及び外部機器と通話する親機と、この親機を用いたインターホンシステムに関するものである。
【背景技術】
【０００２】
従来から、特開２００６−１５７１７８号公報（特許文献１）に示されるように、複数の子機及び外部機器と通話するインターホンシステムは知られている。このインターホンシステムは、図４に示すように、親機Ａに具備された三対の接続端子に二機の子機Ｂ及び一機のセンサカメラＣが接続されている。子機Ｂはカメラ９１と通話部９２（スピーカー、マイク）とを備えており、センサカメラＣはカメラ９３と通話部（不図示）と人体検知部９４とを備えている。
【０００３】
一方、親機Ａは複数の子機ＢやセンサカメラＣと同時に通話することができない構成となっているため、一機の子機ＢまたはセンサカメラＣを選択して通話する必要がある。したがって、図５に示すように、親機Ａの内部回路には一の接続端子に接続し音声の伝送を行う切換制御部９５が設けられており、この切換制御部９５の制御によって通話したい一の子機ＢまたはセンサカメラＣを選択している。
【特許文献１】特開２００６−１５７１７８号公報
【発明の開示】
【発明が解決しようとする課題】
【０００４】
しかしながら、上記従来例であるインターホンシステムにあっては、切換制御部９５において通話する一の子機ＢまたはセンサカメラＣを選択するためには、どの接続端子にどのセンサカメラＣが接続されているかを親機Ａがあらかじめ把握していることが不可欠である。したがって、施工時において個別に設定されたセンサカメラＣのＩＤを親機Ａに登録する作業が必要となり、ユーザーや施工業者の負担となっていた。
【０００５】
一方、最近は、端末の小型化や低コスト化の観点から、少ない接続端子数で多数のセンサカメラ等の外部機器を接続することが求められており、一対の接続端子に複数の外部機器を接続することを許容する構成が必要となっている。しかしながら、このような構成においては、親機と外部機器との接続状態は上記従来例のインターホンシステムよりも更に複雑なものとなり、ＩＤ登録しようとする場合は、前記ユーザーや施工業者の負担も更に増えることになる。
【０００６】
本願発明は、上記背景技術に鑑みて発明されたものであり、その課題は、施工時の作業負担を軽減した親機及びインターホンシステムを提供することである。
【課題を解決するための手段】
【０００７】
上記課題を解決するために、本願請求項１記載の発明では、子機に給電する給電手段と、給電手段から給電を受けて動作する複数の子機及び独自に電力を取得して動作する複数の外部機器が接続される複数の接続端子とを備えた親機において、一の接続端子との間で給電路及び通話路を接続するようになした切換手段と、全ての接続端子との間で通話路を接続及び切断するようになした全端子接続手段とを備えており、子機と通話する場合は、全端子接続手段の通話路を切断すると共に切換手段において通話先の子機が接続された接続端子に接続を切り換えることで子機との通話路を確保しており、外部機器と通話する場合は、全端子接続手段が通話路を接続した状態で任意の一の外部機器と通話するようになしている。
【０００８】
又、本願請求項２記載の発明では、請求項１記載の親機と、親機から給電を受けて動作する子機と、独自に電力を取得して動作する外部機器とを備えている。
【０００９】
又、本願請求項３記載の発明では、上記請求項２記載のインターホンシステムにおいて、外部機器は、撮像手段と人体検知手段と通話手段とを備えたセンサカメラであり、親機はセンサカメラが人体を検知した場合に、全端子接続手段に通話路を接続させて人体を検知したセンサカメラと通話できるようになしている。
【発明の効果】
【００１０】
本願請求項１又は２記載の親機においては、全端子接続手段によって全ての接続端子との間で通話路を接続するようになしているため、親機はどの接続端子にどの外部機器が接続されているかを把握していなくても、特定の外部機器との通話が可能となる。又、切換手段によって一の接続端子との間で給電路及び通話路を接続するようになしているため、子機と親機との間においても確実に通話が可能となる。以上のことから、個別に設定された外部機器のＩＤを親機に登録する作業は不要となり、施工時の負担を軽減した親機及びこの親機を用いたインターホンシステムとなる。
【００１１】
又、本願請求項３記載のインターホンシステムにおいては、外部機器としてセンサカメラを用いて、これを請求項１記載の親機に接続することで、複数台あるセンサカメラのうち人体を検知した一のセンサカメラと親機との間で確実に通話させることが可能となる。
【発明を実施するための最良の形態】
【００１２】
図１、２は、第一の実施形態である親機Ａ及びインターホンシステムを示している。この親機Ａは、子機Ｂに給電する給電手段と、給電手段から給電を受けて動作する複数の子機Ｂ及び独自に電力を取得して動作する複数の外部機器が接続される複数の接続端子Ｔとを備えた親機Ａにおいて、一の接続端子Ｔとの間で給電路及び通話路を接続するようになした切換手段と、全ての接続端子Ｔとの間で通話路を接続及び切断するようになした全端子接続手段とを備えており、子機Ｂと通話する場合は、全端子接続手段の通話路を切断すると共に切換手段において通話先の子機Ｂが接続された接続端子Ｔに接続を切り換えることで子機Ｂとの通話路を確保しており、外部機器と通話する場合は、全端子接続手段が通話路を接続することで外部機器と通話するようになしている。
【００１３】
又、このインターホンシステムは、親機Ａと、親機Ａから給電を受けて動作する子機Ｂと、独自に電力を取得して動作するセンサカメラＣとを備えたインターホンシステムであり、親機ＡはセンサカメラＣが人体を検知した場合に、全端子接続手段に通話路を接続させて人体を検知したセンサカメラＣと通話できるようになしている。
【００１４】
以下、この実施形態の親機Ａ及びインターホンシステムを、より具体的詳細に説明する。図２に示すように、このインターホンシステムは、親機Ａに二つの子機Ｂと四つのセンサカメラＣが伝送線Ｌを介して接続されており、親機Ａと子機Ｂ又はセンサカメラＣとの間で映像、音声、制御信号の伝送を行うものである。又、親機Ａには宅内の各部屋に設置される増設親機Ｄが更に接続されており、増設親機Ｄとの間においても親機Ａと同様に映像等の伝送を行うことが可能である。なお、センサカメラＣについては何機接続されていてもよい。
【００１５】
子機Ｂは、親機Ａから電力供給を受けて動作しており、例えば玄関や勝手口の宅外側に設置され、来客を撮像するカメラＢ１と、呼出釦Ｂ２とを備え、前面のスリットＢ３内側にはマイク、スピーカ（不図示）が収納されている。センサカメラＣは、独自に電力を取得して動作しており、不審者や家人を撮像する撮像手段となるカメラＣ１と、人体検知手段となる人感センサＣ２と、マイク及びスピーカを具備して通話手段となる通話部（不図示）と、照明器具Ｃ３とを備えており、例えば、庭や宅内や玄関に設置されている。
【００１６】
各子機Ｂ及び各センサカメラＣは固有のＩＤを有しており、センサカメラＣに備えられたマイクは、親機Ａから自己のＩＤを有する制御信号が伝送されて初めて動作するようになっている。なお、子機Ｂ及びセンサカメラＣのＩＤについては親機Ａに登録する必要はない。
【００１７】
又、子機Ｂ及びセンサカメラＣに備えられたカメラＢ１，Ｃ１の露出やピント、マイクの音量等は調整が可能であり、これらの調整は親機Ａからの制御信号を受けて行なわれる。又、このカメラＢ１，Ｃ１やマイク等の調整の状態は制御信号として親機Ａへと伝送される。なお、伝送線Ｌには２線式の平衡ケーブルが用いられている。
【００１８】
親機Ａは商用電源が供給されており、モニタ１と、各種操作を行なうための操作部２とを前面に備え、前面の複数の孔３内側にはマイク、スピーカが収納されている。又、親機Ａは、図１のブロック図に示すように三対の接続端子Ｔを備えており、この接続端子Ｔに伝送線Ｌを介して複数の子機Ｂ及びセンサカメラＣが取り付けられている。なお、一対の接続端子Ｔに対して複数のセンサカメラＣ等の機器を取り付けることが可能であるが、子機Ｂについては一対の接続端子Ｔに対して一機に限られる。
【００１９】
親機Ａには子機Ｂに給電を行う給電部８ａ及び補助給電部８ｂが設けられている。給電部８ａは子機Ｂの動作に必要な電力を供給する給電手段であり、子機Ｂは給電部８ａからの電力供給を受けない限りは動作しないようになっている。補助給電部８ｂは、各接続端子Ｔに一つずつ設けられており、給電部８ａよりも微弱な電力を常に子機Ｂに供給している。子機Ｂは、給電部８ａからの電力供給を受けていない時は、補助給電部８ｂからの電力供給のみを受けて待機状態となっている。
【００２０】
又、各補助給電部８ｂは制御部９に接続されており、制御部９は子機Ｂにかかる電圧の変化を検出している。ここで、子機Ｂの呼出釦Ｂ２が押操作されると、押操作された子機Ｂにかかる電圧が変化するようになっている。したがって、押操作された子機Ｂにかかる電圧の変化が制御部９で検出され、制御部９はどの接続端子Ｔに接続された子機Ｂが押操作されたかを把握するようになっている。
【００２１】
子機Ｂ及びセンサカメラＣから伝送線Ｌを通って親機Ａの接続端子Ｔに入力された信号は、多重分離回路４へと伝送される。ここで、伝送線Ｌは２線式の平衡ケーブルであって、映像信号、音声信号、制御信号の伝送と電源の供給とに用いられるのであるから、伝送線Ｌでは映像信号、音声信号、制御信号が混在し、それらの信号が電源に重畳された形で伝送されることになる。映像信号と音声信号と制御信号とは周波数帯域が異なるから（特開平５−２０７１６６号公報等参照）、伝送線Ｌから接続端子Ｔを通して入力された信号は、親機Ａの多重分離回路４において周波数帯域別に分離することにより、映像信号、音声信号、及び制御信号に分離される。
【００２２】
多重分離回路４で分離された映像信号は映像部７へと伝送され、映像部７において復調されてモニタ１に入力される。なお、この親機ＡはＴＤＭＡ（時分割多重伝送）方式で映像信号を伝送しており一度に４ｃｈまでの画像をモニタ１に出力させることができる。又、多重分離回路４で分離された制御信号はＣＰＵを備えた制御部９へと伝送され、この制御信号を受けて制御部９は親機Ａの動作を制御する。
【００２３】
多重分離回路４で分離された音声信号は、切換回路５及び余端子接続回路６において接続された通話路Ｒ１，Ｒ２，Ｒ３を通ってスピーカやマイク等を具備する通話部へと伝送される。ここで、切換回路５及び余端子接続回路６はそれぞれ切換手段及び全端子接続手段を構成するものである。切換回路５は、各接続端子Ｔに繋がる三経路の通話路Ｒ１〜Ｒ３のうち、いずれか一の通話路に接続することで一対の接続端子Ｔと通話部及び給電部８ａとの間で通話路及び給電路を接続する。又、余端子接続回路６は、三経路の通話路Ｒ１〜Ｒ３のうち既定の二つの通話路Ｒ２，Ｒ３に同時に接続または切断することで、二対の接続端子Ｔと通話部１０との間で通話路Ｒ２，Ｒ３の接続または切断を行う。なお、余端子接続回路６においては、コンデンサ６ａを設けることで給電路の直流電圧成分を除去しているため、余端子接続回路６から子機Ｂへと給電されることはない。
【００２４】
以下、このインターホンシステムの動作について説明する。初めに、子機Ｂと親機Ａ間の通話について説明する。いずれかの子機Ｂの呼出釦Ｂ２を来客が押操作すると、制御部９からの制御信号を受けて切換回路５は通話先の子機Ｂが接続されている接続端子Ｔとの間で通話路及び給電路を接続し、余端子接続回路６は切断状態となる。よって、押操作された子機Ｂは、親機Ａから給電を受けて親機Ａとの間で通話が可能となり、又、子機ＢのカメラＢ１は撮像を開始し、撮像した来客等の映像を親機Ａのモニタ１に表示させることが可能となる。
【００２５】
次に、センサカメラＣと親機Ａ間の通話について説明する。いずれかのセンサカメラＣの前を人が通るとセンサカメラＣは、人感センサＣ２において人体を検知し、照明器具Ｃ３を点灯させると共に、自己のＩＤを有する制御信号を親機Ａへと伝送する。この制御信号を受けた親機Ａの制御部９は、人体を検知した旨をモニタ１に表示させると同時にスピーカにて報知音を鳴動させ家人に報知する。報知を受けた家人は操作部２を操作することで、センサカメラＣの撮像した映像をモニタ１に表示させることができる。ここで、モニタ１の映像を見た家人は、例えば、撮像された他の家人と通話したい場合や、撮像された侵入者に対して警告したい場合において、センサカメラＣで通話することが可能である。
【００２６】
この場合は、制御部９からの制御信号を受けて、余端子接続回路６が接続状態となり既定の二つの通話路Ｒ２，Ｒ３を接続し、残り一の通話路Ｒ１を切換回路５が接続することで、全ての接続端子Ｔとの間で通話路Ｒ１〜Ｒ３が形成される。又、同時に給電部８ａからの給電は停止され、全ての接続端子Ｔに接続された機器に対してセンサカメラＣから受けたＩＤと同じＩＤを有する制御信号が返送される。親機Ａからの制御信号を受けたセンサカメラＣ及び子機Ｂは、制御信号の有するＩＤが自己のＩＤと同一である場合においてのみ、この制御信号を受け付けてマイクを動作させる。すなわち、人体を検知したセンサカメラＣのみが親機Ａからの制御信号を受け付けてマイクを動作させることになり、親機ＡはこのセンサカメラＣのみと通話することが可能になる。
【００２７】
ここで、親機Ａのモニタ１には複数のカメラで撮像された映像を同時に４ｃｈまで分割表示させることができるため、子機ＢやセンサカメラＣと通話中であっても、人体検知の報知を受けて他のセンサカメラＣの映像を通話中の映像と一緒に表示させることができる。ただし、音声については一箇所のマイクからしか同時に受けられないため、複数の映像を表示させている場合であっても、選択した一箇所の子機Ｂ又はセンサカメラＣのみと通話することになる。
【００２８】
したがって、このインターホンシステムは、切換回路５及び余端子接続回路６によって全ての接続端子Ｔとの間で通話路Ｒ１〜Ｒ３を接続するようになしているため、親機Ａはどの接続端子ＴにどのセンサカメラＣが接続されているかを把握していなくても、特定のセンサカメラＣとの通話が可能となる。又、切換回路５によって一の接続端子Ｔとの間で給電路及び通話路を接続するようになしているため、子機Ｂと親機Ａとの間においても確実に通話することが可能となる。以上のことから、個別に設定されたセンサカメラＣのＩＤを親機Ａに登録する作業は不要となり、施工時の負担を軽減したインターホンシステムとなる。
【００２９】
又、センサカメラＣのＩＤを親機Ａに登録する作業が不要となるため、ＩＤを間違えて登録することで発生するトラブルを回避でき、センサカメラＣが人体を検知した場合においては確実に親機Ａから家人に報知され、センサカメラＣと親機Ａとの間で映像及び音声の伝送をすることができる。
【００３０】
図３は、上記の実施形態とは異なる第二の実施形態である親機Ａのブロック図を示している。なお、ここでは、上記第一の実施形態と相違する事項についてのみ説明し、その他の事項（構成、作用効果等）については、上記第一の実施形態と同様であるのでその説明を省略する。又、図３においても、図１と異なる部分のみ示しており、他の構成については図１と同様である。
【００３１】
この場合、余端子接続回路６は全ての接続端子Ｔとの間で同時に通話路Ｒ１〜Ｒ３の接続または切断が可能であり、センサカメラＣと親機Ａとの間の通話はこの構成であっても可能である。すなわち、余端子接続回路６は三経路の通話路Ｒ１〜３全てを同時に接続し、切換回路５はどの接続端子Ｔにも接続しない切断状態となることで、親機Ａと全ての接続端子Ｔとの間で通話路が接続され、センサカメラＣと親機Ａとの間で通話が可能となる。なお、この場合は、給電路を形成し得る切換回路５は切断状態となるため、センサカメラＣと通話する場合においても給電部８ａの給電を停止させる制御は必要なくなる。
【図面の簡単な説明】
【００３２】
【図１】本願発明の第一の実施形態であるインターホンシステムを示すブロック図。
【図２】同インターホンシステムを示す構成図。
【図３】本願発明の第二の実施形態であるインターホンシステムの一部を示すブロック図。
【図４】従来例であるインターホンシステムを示す構成図。
【図５】従来例であるインターホンシステムの親機を示すブロック図。
【符号の説明】
【００３３】
Ａ  親機
Ｂ  子機
Ｃ  センサカメラ
Ｔ  接続端子
Ｒ１  通話路
Ｒ２  通話路
Ｒ３  通話路
【図１】
2008034984.tif 000003
【図２】
2008034984.tif 000004
【図３】
2008034984.tif 000005
【図４】
2008034984.tif 000006
【図５】
2008034984.tif 000007